(57)【要約】【課題】安価で風量性能が向上した換気扇を提供する。【解決手段】本換気扇は、ファンあるいはそのファンを駆動させるモータに対向しかつ取付け面に対して垂直方向に進退して通気開口を開閉する開閉板を進退させる開閉機構は、ファンおよびモータの少なくとも一方を囲うように配置されたケーシングと開閉板の周辺部に設けられる。【選択図】  図３
2004278848.tif 000002
【特許請求の範囲】
【請求項１】
ファンあるいはそのファンを駆動させるモータに対向しかつ取付け面に対して垂直方向に進退して通気開口を開閉する開閉板が設けられた換気扇において、前記開閉板を進退させる開閉機構は、前記ファンおよびモータの少なくとも一方を囲うように配置されたケーシングと前記開閉板の周辺部に設けられることを特徴とする換気扇。
【請求項２】
前記開閉機構は、ラッチと、このラッチに適宜係合するストライカとをケーシングと開閉板の相互に設け、前記ケーシングと前記開閉板間に設けられ前記開閉板を常時前進方向に付勢するスプリングを有することを特徴とする請求項１に記載の換気扇。
【請求項３】
前記開閉機構は、スプリングがラッチと対称に複数個設けられることを特徴とする請求項２に記載の換気扇。
【請求項４】
前記開閉機構は、ケーシングの一側に設けられることを特徴とする請求項１ないし３のいずれか１項に記載の換気扇。
【請求項５】
前記開閉機構は、垂直方向に設置されるケーシングの左右両側に設けられることを特徴とする請求項１ないし３のいずれか１項に記載の換気扇。
【請求項６】
前記開閉板は、開度調整部材により開度が調整可能であることを特徴とする請求項１ないし５のいずれか１項に記載の換気扇。
【発明の詳細な説明】
【０００１】
【発明の属する技術分野】
本発明は換気扇に係わり、特に開閉板の開閉機構を改良した換気扇に関する。
【０００２】
【従来の技術】
従来、換気扇の外気侵入防止用シャッタは内蔵された電動モータの駆動によりシャッタの開閉を行なっていた（特許文献１）。しかしながら、特許文献１に記載の換気扇は、ファン駆動用モータとは別個に、シャッタ開閉用の電動モータを設ける必要があるため、高価になり、汎用品には適さない。また、給気用に用いられる従来の換気扇において、手動のシャッタを設けたものもあるが（特許文献２）、特許文献２に記載の換気扇は、シャッタレバーを左右に動かしてシャッタを左右に開閉する方式であり、シャッタが開放時ラップする部分が生じるのでシャッタのラップ面積分だけ通風路の有効面積が減少し、風量性能が悪化する。
【０００３】
【特許文献１】
特開平８−１２８６９０号公報（第７頁、左欄、段落番号［００２８］、［００２９］図２、図３）
【０００４】
【特許文献２】
特開２００２−８９９１１号公報（第２頁、右欄、段落番号［０００２］、図１４）
【０００５】
【発明が解決しようとする課題】
本発明は上述した事情を考慮してなされたもので、安価で風量性能が向上した換気扇を提供することを目的とする。
【０００６】
【課題を解決するための手段】
上記目的を達成するため、本発明の１つの態様によれば、ファンあるいはそのファンを駆動させるモータに対向しかつ取付け面に対して垂直方向に進退して通気開口を開閉する開閉板が設けられた換気扇において、前記開閉板を進退させる開閉機構は、前記ファンおよびモータの少なくとも一方を囲うように配置されたケーシングと前記開閉板の周辺部に設けられることを特徴とする換気扇が提供される。これにより、安価で風量性能が向上した換気扇が実現される。
【０００７】
好適な一例では、前記開閉機構は、ラッチと、このラッチに適宜係合するストライカとをケーシングと開閉板の相互に設け、前記ケーシングと前記開閉板間に設けられ前記開閉板を常時前進方向に付勢するスプリングを有する。これにより、開閉機構が通気開口を避けて、ケーシングに設けても、開閉板を単に押圧することで、開閉板による通気開口の開閉が容易に行える。
【０００８】
また、他の好適な一例では、前記開閉機構は、スプリングがラッチと対称に複数個設けられる。これにより、開閉板のぐらつきが防止される。
【０００９】
また、他の好適な一例では、前記開閉機構は、ケーシングの一側に設けられる。これにより、給気用換気扇にあっては、ケーシングの下側に設けられる場合には、下側からの給気がなく、冬場など給気温度が低いときに、使用者に直接冷風が当らずコールドドラフトを軽減できる。
【００１０】
また、他の好適な一例では、前記開閉機構は、垂直方向に設置されるケーシングの左右両側に設けられる。これにより、室内温度差に伴う上昇気流を妨げることなくスムーズな排気が行える。
【００１１】
また、他の好適な一例では、前記開閉板は、その開閉量が可変である。これにより、モータの回転数を変更させるタップ等を追加する必要がなく、安価に風量を変えることができる。
【００１２】
【発明の実施の形態】
以下、本発明に係わる換気扇の第１実施形態について添付図面を参照して説明する。
【００１３】
図１及び図２は本発明に係わる換気扇の第１実施形態の斜視図、図３はその縦断面図である。
【００１４】
図１ないし図３に示すように、本発明の第１実施形態の換気扇１は、排気用換気扇であって、軸流のファン２と、このファン２を回転駆動させるモータ３と、通気開口４ａが設けられファン２を囲うように配置されたケーシング４と、そのケーシング４の取付面に対して垂直方向に進退し通気開口４ａを適宜開閉する開閉板５と、この開閉板５を進退させる開閉機構６を有している。
【００１５】
図３に示すように、モータ３のファン側には、基部から先端に向かって縮径し略凹状円弧の中実回転体状である整流ガイド７が設けられている。これにより、風の流れが整流されて騒音が軽減し、また整流ガイド７がモータ３を完全に覆うことなく、モータ３の表面が現われるように形成されているため、モータ３に空気流が当りモータ３が効果的に冷却される。
【００１６】
上記開閉板５は、パネルあるいはシャッタなどとして用いられる。
【００１７】
また、図４及び図５に示すように、開閉機構６は、通気開口４ａを避けるように、ケーシング４と開閉板５の周辺部に設けられており、さらに、開閉機構６は、ラッチ６ａと、このラッチ６ａに適宜係合し開閉板５の周辺部に一体に設けられたストライカ６ｂと、ケーシング４と開閉板５間に渡って設けられ開閉板５を常時開放側（前進方向）に付勢し、ケーシング４に突設されたボス４ｂに外嵌し、開閉板５に設けられた継手６ｆに挿入されたスプリング６ｃを有しており、このスプリング６ｃはラッチ６ａに対称に２個設けられている。これにより、開閉板５のぐらつきが防止される。
【００１８】
また、上記ラッチ６ａはラッチ収納部６ｄに摺動自在に収容され、さらに、ラッチスプリング６ｅによって常時開放側（前進方向）に付勢されている。従って、スプリング６ｃに抗して開閉板５が押圧されると、ストライカ６ｂを介して、ラッチ６ａも押圧されて後退し、ラッチ収納部６ｄの当接端６ｄ１にラッチ６ａの係合部６ａ１が当接して、ストライカ６ｂと係合しながら閉じてストライカ６ｂを保持し、この保持状態でさらに後退して、係合部６ａ１の背側の位置保持部６ａ２が、ラッチ収納部６ｄの保持溝６ｄ２に係合する。これにより、開閉板５の押圧を止めても、開閉板５は閉止状態を保つ。
【００１９】
さらに、閉止状態にある開閉板５がさらに押圧され後退すると、位置保持部６ａ２と保持溝６ｄ２の係合が外れる。この外れた状態で、開閉板５の押圧を止めると、ラッチスプリング６ｅによって前進方向に付勢されているラッチ６ａが前進し、また、同時にスプリング６ｃにより常時前進方向に付勢されている開閉板５も前進するようになっている。これにより、ラッチ６ａの係合部６ａ１がラッチ収納部６ｄから脱して開き、ストライカ６ｂを開放するため、継手６ｆに設けられたフランジ部６ｆ１がケーシング４に設けられた拘束部４ｃに当接するまで開閉板５は前進し、開放位置になる。
【００２０】
次に本発明に係わる換気扇の第１実施形態の使用方法について説明する。
【００２１】
図３に示すように、排気用換気扇１は、開閉板５が室内側に位置するように、例えば部屋の取付壁１１に設けられた取付パイプ１２にケーシング４の外周に設けた複数の板バネ（図示せず）を介して垂直に取付けられる。この取付けには、換気扇１と室内側の取付壁１１にスポンジ状の発泡材製のクッションリング１３を介在させるのが好ましい。これにより、換気扇１の停止時、開閉板５が通気開口４ａを閉じているときに、外風によって取付パイプ１２との隙間から塵埃が室内に侵入するのをクッションリング１３が外からの塵埃を止めるフィルタ役目を果たし、取付パイプ１２との隙間を塞ぎ、室内側壁面の汚れを防止できる。
【００２２】
図２乃至図４に示すように、開閉板５が前進位置にあるとき、通気開口４ａは、開放されている。この状態でモータ３に通電されるとファン２が回転し、室内の空気は通気開口４ａから室外に排気される。この排気過程において、開閉板５を進退させる開閉機構６は、通気開口４ａを避けるように、ケーシング４と開閉板５の周辺部５ａに設けられており、ファン２の性能を向上させることができる。また、開閉機構６が垂直方向に設置されるケーシング４の左右両側に設けられているので、室内温度差に伴う上昇気流を妨げることなくスムーズな排気が行なえる。
【００２３】
図６に示すように、通気開口４ａを閉塞する場合には、モータ３を停止させてファン２を止めた後、開閉板５を押圧して後退させる。開閉板５が押圧されると、上述のように、ストライカ６ｂを介して、ラッチ６ａも押圧されて後退し、ストライカ６ｂと係合しながら閉じてストライカ６ｂを保持し、この保持状態でさらに後退して、係合部６ａ１の背側の位置保持部６ａ２が、ラッチ収納部６ｄの保持溝６ｄ２に係合する。これにより、開閉板５の押圧を止めても、開閉板５は閉止状態を保つ。
【００２４】
図６に示す閉塞状態から、図１に示すような開放状態にするには、上述のように、開閉板５がさらに押圧されて後退されると、位置保持部６ａ２と保持溝６ｄ２の係合が外れ、この外れた状態で、開閉板５の押圧を止めると、ラッチスプリング６ｅによって前進方向に付勢されているラッチ６ａが前進し、また、同時にスプリング６ｃにより常時前進方向に付勢されている開閉板５も前進する。これにより、ラッチ６ａの係合部６ａ１がラッチ収納部６ｄから脱して開き、ストライカ６ｂを開放するため、開閉板５は前進し通気開口４ａは開放される。
【００２５】
上記のように本実施形態の開閉機構６が、ラッチ６ａと開閉板５に設けられたストライカ６ｂとケーシング４と開閉板５間に渡って設けられたスプリング６ｃを有する構造とすることにより、開閉機構６が通気開口４ａを避けて、ファン２周囲に配置されたケーシング４に設けても、開閉板５を単に押圧することで、開閉板５による通気開口４ａの開閉が容易に行なえる。なお、開閉機構６をケーシング４の左右両側に設けたが、これを左側もしくは右側のいずれか一側に設けてもよい。その場合、片側の開閉機構６がなくなるので、排気抵抗が減少でき、さらにスムーズに排気が行なえる。
【００２６】
さらに、本発明に係わる換気扇の第２実施形態について説明する。
【００２７】
本第２実施形態は、上記第１実施形態が開閉機構をケーシングの左右両側に設けるのに対して、開閉機構をケーシングの下側に設け、かつ、開度調整部材を付加したものである。
【００２８】
例えば、図７に示すように、第２実施形態の換気扇１Ａは、図３に示す排気用換気扇とは、ファンとモータの配列が逆の給気用換気扇であり、ケーシング４Ａがファンとモータの両方を囲うように配置され、ケーシング４Ａの下側に開閉機構６Ａが設けられている。さらに、図８に示すように、開閉板５Ａに１対突設されたボス５Ａｂには、常時開閉板５Ａを前進方向に付勢するスプリング６Ａｃが各々外嵌されている。また、ボス５Ａｂの先端にはストッパフランジ５Ａｃが設けられ、さらに、このストッパフランジ５Ａｃの近傍には開度調整部材８Ａが設けられている。この開度調整部材８Ａは、図９及び図１０に示すように、平面視が略馬蹄形状をなすストッパ部８Ａ１とこのストッパ部８Ａ１から突出する操作部８Ａ２からなっており、図８及び図９に示すように、ケーシング４Ａに左右に移動可能に取付けられている。開閉機構６Ａは図３に示す開閉機構と同様にラッチを用いるものであるが、スプリング６Ａｃは上記のようにボス５Ａｂに外嵌されており、ラッチ収納部６Ａｄには収容されていない。図７の符号９Ａは開閉板５Ａに設けられ、ケーシング４Ａを進退する１対のガイドピンである。
【００２９】
従って、開閉板５Ａの開度を最大にする場合には、予め、換気扇の取付け時、図８および図９に示すように、１対の開度調整部材８Ａを各々内側に移動させて固定し、ストッパフランジ５Ａｃがストッパ部８Ａ１に係止することなく、ストッパフランジ５Ａｃがケーシング４Ａのリング状収納部４Ａｃに設けられた拘束部４Ａｄに当接するまで、開閉板５Ａは前進し、最大開度が可能となる。
【００３０】
また、図１０乃至図１２に示すように、１対の開度調整部材８Ａを各々外側に移動させて固定し、ストッパフランジ５Ａｃをストッパ部８Ａ１に係止させることにより、開閉板５Ａの開度を中間にすることが可能となる。図１３は最大開度可能に開度調整部材８Ａを設定した場合の開閉板５Ａの閉止状態を示す。他の構成は図３に示す換気扇と異ならないので、同一符号を付して説明は省略する。なお、前記開度調整部材８Ａは、必要に応じて第１実施形態の排気用換気扇１に適用してもよく、その場合は開閉板５の開度に応じて排気風量を変えることができる。
【００３１】
本第２実施形態は、上記構造を有するので、下側から給気がなく、冬場など給気温度が低いときに、使用者に直接冷風が当らずコールドドラフトを軽減でき、また、開閉板の開度調整により風量を変えることができるので、モータの回転数を変更させるタップ等を追加する必要がなく、安価に風量を変えることができる。
【００３２】
なお、第１実施形態および第２実施形態いずれにおいても、必要に応じてラッチ６ａを開閉板５側に設け、ストライカ６ｂをケーシング４側に設けてもよく、その場合でも開閉板５の開閉操作がスムーズに行なえる。
【００３３】
また、第１実施形態では、図３のようにクッションリング１３を換気扇１と室内側の取付壁１１の間に介在させたが、第２実施形態のようにファンとモータの両方を囲うよう配置されたケーシング４Ａの場合は、クッションリング１３をこのケーシング４Ａと取付パイプ１２との間の環状隙間全周に亘って介在させるようにしてもよい。この場合も外風による塵埃の室内への侵入を防止できる。
【００３４】
【発明の効果】
本発明に係わる換気扇によれば、安価で風量性能が向上した換気扇を提供することができる。
【図面の簡単な説明】
【図１】本発明に係わる換気扇の第１実施形態の開閉板開放状態を示す斜視図。
【図２】本発明に係わる換気扇の第１実施形態の開閉板開放状態を示す斜視図。
【図３】本発明に係わる換気扇の第１実施形態の開閉板開放状態を示す縦断面図。
【図４】本発明に係わる換気扇の第１実施形態のケーシングを一部切欠して示す開閉板開放状態の斜視図。
【図５】本発明に係わる換気扇の第１実施形態に用いられる開閉機構の縦断面図。
【図６】本発明に係わる換気扇の第１実施形態の開閉板閉止状態を示す斜視図。
【図７】本発明に係わる換気扇の第２実施形態の開閉板開放状態を示す斜視図。
【図８】本発明に係わる換気扇の第２実施形態に用いられる開閉機構の縦断面図。
【図９】図９に示す開閉機構に用いられる開度調整部材の斜視図。
【図１０】図９に示す開度調整部材の使用説明図。
【図１１】図９に示す開度調整部材の取付け状態を示す説明図。
【図１２】図９に示す開度調整部材の使用説明図。
【図１３】本発明に係わる換気扇の第２実施形態の開閉板閉止状態時の開度調整部材の状態説明図。
【符号の説明】
１  換気扇
２  ファン
３  モータ
４  ケーシング
４ａ  通気開口
４ｂ  ボス
４ｃ  拘束部
５  開閉板
６  開閉機構
６ａ  ラッチ
６ａ１  係合部
６ａ２  位置保持部
６ｂ  ストライカ
６ｃ  スプリング
６ｄ  ラッチ収納部
６ｄ１  当接端
６ｄ２  保持溝
６ｅ  ラッチスプリング
６ｆ  継手
６ｆ１  フランジ部
７  整流ガイド
【図１】
2004278848.tif 000003
【図２】
2004278848.tif 000004
【図３】
2004278848.tif 000005
【図４】
2004278848.tif 000006
【図５】
2004278848.tif 000007
【図６】
2004278848.tif 000008
【図７】
2004278848.tif 000009
【図８】
2004278848.tif 000010
【図９】
2004278848.tif 000011
【図１０】
2004278848.tif 000012
【図１１】
2004278848.tif 000013
【図１２】
2004278848.tif 000014
【図１３】
2004278848.tif 000015